(57)【要約】【課題】非接触ＩＣチップを用いて迅速に、かつ、正確に決済処理を行うことができるようにする。【解決手段】本発明に係る情報処理装置に適用可能なカメラ付ディジタル携帯電話機においては、ステップＳ４において主制御部は、ＣＣＤカメラを制御し、画像である２次元バーコードを読み取り、ステップＳ６において主制御部は、読み取られた画像（２次元バーコード）を解析し、第１の画像により表される商品情報に変換し、ステップＳ８において主制御部は、変換された商品情報に基づいて、決済処理装置との決済処理に用いる商品に関するリストである注文リストを作成し、ステップＳ１３において主制御部は、非接触ＩＣチップに作成された注文リストを書き込む。これにより、カメラ付ディジタル携帯電話機は、非接触ＩＣチップに記憶された注文リストを用いて、決済処理装置との間で決済処理を実行することができる。【選択図】  図８
2008009642.tif 000002
【特許請求の範囲】
【請求項１】
決済処理装置との間で商品の代金の決済処理を行う情報処理装置において、
画像を読み取る読み取り手段と、
前記読み取り手段により読み取られた前記画像を、前記商品に関する情報である商品情報に変換する変換手段と、
前記変換手段により変換された前記商品情報に基づいて、前記決済処理装置との間で行われる前記商品の代金の決済処理に用いる前記商品に関するリストを作成するリスト作成手段と、
前記リスト作成手段により作成された前記リストを記憶する記憶手段と、
前記記憶手段により記憶された前記リストを用いて、前記決済処理装置との間で行われる前記商品の代金の決済処理の実行を制御する制御手段とを備えることを特徴とする情報処理装置。
【請求項２】
決済処理装置との間で商品の代金の決済処理を行う情報処理装置において、
画像を読み取る読み取り手段と、
前記読み取り手段により読み取られた前記画像を、前記商品に関する情報である商品情報に変換する変換手段と、
前記変換手段により変換された複数の前記商品情報に基づいて、前記決済処理装置との間で行われる前記商品の代金の決済処理に用いる複数の前記商品に関するリストを作成するリスト作成手段と、
前記リスト作成手段により作成された複数の前記商品に関するリストを記憶する記憶手段と、
ユーザの指示を受け付けると、前記記憶手段により記憶された複数の前記商品に関するリストを用いて、前記決済処理装置との間で行われる複数の前記商品の代金の決済処理の実行を制御する制御手段とを備えることを特徴とする情報処理装置。
【請求項３】
前記画像は、２次元バーコードであることを特徴とする請求項１または請求項２に記載の情報処理装置。
【請求項４】
前記商品情報には、少なくとも、前記商品を識別する情報が含まれることを特徴とする請求項１または請求項２に記載の情報処理装置。
【発明の詳細な説明】
【技術分野】
【０００１】
本発明は情報処理装置に係り、特に、非接触ＩＣチップを用いて決済処理装置と無線通信により決済処理を行うことができるようにした情報処理装置に関する。
【背景技術】
【０００２】
近年、携帯電話機には、単なる通話による通信機能だけでなく、アドレス帳機能、インターネットなどのネットワークを介したメール機能や、Ｗｅｂページなどを閲覧することが可能なブラウザ機能などの種々の機能が搭載されている。また、携帯電話機の所定の位置に内蔵された非接触ＩＣチップを用いた電子マネーサービスや各種の認証機能なども搭載されている。
【０００３】
例えばFelica（登録商標）チップなどに代表される非接触ＩＣチップの利用方法には、大別して２通りの利用方法がある。
【０００４】
第１の利用方法においては、まず、携帯電話機に内蔵された非接触ＩＣチップに電子マネーのチャージ（入金）を行う。例えば、コンビニエンスストアなどにおいて１０００円や２０００円などの電子マネーをチャージする。次に、コンビニエンスストアなどにおいて、ユーザにより、代金の決済処理を行う決済処理装置に設けられた専用のＩＣリーダ／ライタに携帯電話機が近接されると、携帯電話機は専用のＩＣリーダ／ライタとの無線通信を行い、決済処理を短時間で行う。その後、非接触ＩＣチップに記憶されている電子マネー情報と利用履歴などが更新される。これにより、携帯電話機に内蔵された非接触ＩＣチップにチャージされた電子マネー情報を用いて、あたかも現金で買い物をしているかのように、コンビニエンスストアなどでの買い物を行うことが可能となる。なお、ユーザは、決済処理時または決済処理後に、必要に応じて、現在の電子マネーの残金や利用履歴を液晶ディスプレイに表示させて確認することもできる。
【０００５】
一方、第２の利用方法においては、携帯電話機に内蔵された非接触ＩＣチップに特定のサービスを受ける権利に付属する付属情報（特定のサービスを受けるために用いられる情報）を予め保存し、その後、ユーザが所定の場所で非接触ＩＣチップに保存された特定のサービスを受ける権利に付属する付属情報を提示することにより、その特定のサービスを受ける。具体的には、航空券をインターネット経由のクレジット決済あるいはインターネット振込みなどにより購入し、購入の際に搭乗権（飛行機に搭乗することができる権利）に付属する付属情報（例えば、フライト番号や座席位置などに関する情報）を取得し、取得された搭乗権に付属する付属情報を携帯電話機に内蔵された非接触ＩＣチップに保存する。
【０００６】
その後、ユーザは、飛行場のチェックインカウンターで非接触ＩＣチップに保存された搭乗権に付属する付属情報を提示する（すなわち、専用のＩＣリーダ／ライタに携帯電話機が近接される）ことによりチェックインし、飛行機に搭乗することで特定のサービス（飛行機に搭乗するサービス）を受けることが可能となる。
【０００７】
また、ビックカメラなどに代表される量販店などでのポイントカード機能を携帯電話機に内蔵された非接触ＩＣチップに搭載してポイントを逐次保存するとともに、保存されたポイントを提示することで、ユーザは、ポイントに応じた所定の金額の控除などの特典（ポイントに応じた金額控除を受ける権利）を享受することができる。
【０００８】
なお、非接触ＩＣチップが内蔵された携帯電話機に関する技術として、金銭的価値を示す数値情報が更新されるごとにその旨を報知することができる技術が提案されている（例えば、特許文献１参照）。
【０００９】
特許文献１に提案されている技術によれば、ＣＰＵは、非接触ＩＣチップに記憶されている残金が更新された際に、携帯電話機を構成する報知部（報知用ＬＥＤ（Light Emitting Diode）と報知用スピーカ）を駆動制御することにより残金が更新されたことを報知することができる。これにより、商取引が行われたことを手元で即座に確認することができ、ユーザに安心感を与えることができる。
【特許文献１】特開２００６−９３９１２号公報
【発明の開示】
【発明が解決しようとする課題】
【００１０】
ところで、非接触ＩＣチップの利用方法である第１の利用方法（すなわち、非接触ＩＣチップに記憶されている電子マネー情報を用いた利用方法）では、実際に現金のやり取りを介することなく、非接触ＩＣチップに記憶されている電子マネー情報を用いて、あたかも現金で商取引を行っているかのように、お店で種々の商品を購入することができる。
【００１１】
なお、「商品」とは、例えば商標法上、商取引の目的となり得るべき物（特に動産）と定義されており、マッサージ店におけるマッサージなどは商標法上の「商品」には該当せず、本来「役務（サービス）」に該当するものである。しかし、本明細書中においては、「商品」とはユーザが現金や電子マネーなどを用いて購入する（代金を支払う）ことが可能なすべてのものと定義し、例えばコンビニエンスストアのおにぎりなどだけでなく、マッサージ店におけるマッサージやコーヒーショップにおけるコーヒーなども含むものとする。
【００１２】
例えばコンビニエンスストアで買い物を行う場合、ユーザは、購入を所望する商品をレジに持っていき、店員にレジで会計をしてもらい、合計金額がレジの端末装置の表示部に表示された後、携帯電話機に内蔵された非接触ＩＣチップに記憶されている電子マネー情報を用いて決済処理を行う。すなわち、コンビニエンスストアで買い物を行う場合、ユーザは、購入を所望する商品をレジに持っていくことで購入する商品を特定しており、店員との間で購入する商品を特定するための購入商品情報のやり取りをする必要がなく、また、店員は購入される商品を袋に包み、ユーザに提供するだけである。そのため、店員によるレジ打ちなどの会計処理に多少の時間を要するが、商品購入開始時から比較的短時間で決済処理を終了することができる。
【００１３】
しかし、商品の中には、購入する際に商品自体をレジに持っていくことが難しい商品も存在し、このような商品については、ユーザは購入する商品をレジに持っていくことで特定することはできず、店員との間で購入する商品を特定するための購入商品情報のやり取りをしなければならない。また、商品によっては、購入される商品をユーザに提供するのに時間を要するものも存在する。
【００１４】
例えば居酒屋で料理を注文（購入）する場合、料理の注文時においてどの料理を注文するかなどを店員に伝え、料理の飲食後、居酒屋の退店時に、店員により作成された伝票を用いてレジ打ちで算出された合計金額に基づき、非接触ＩＣチップに記憶されている電子マネー情報を用いてまとめて決済処理を行う。すなわち、コンビニエンスストアの場合とは異なり、ユーザはレジの店員に商品である料理そのものを注文時に持っていくことはできないことから、注文（購入）する商品を特定するために、料理の注文時において店員との間でどの料理を注文するかなどの購入商品情報のやり取りをしなければならない。また、注文した料理が出来上がるのに時間を要するだけでなく、ユーザは、通常、複数の料理を注文して飲食をすることから、実際に決済処理が行われる退店時には、最初の料理の注文（購入）開始時からかなりの時間が経過してしまう。さらに、注文された料理が多ければ多いほど、店員によるレジ打ちなどの会計処理により多くの時間を要する。そのため、商品購入開始時から長時間経過した後でなければ、決済処理を終了することができない。
【００１５】
また、コーヒーショップでテイクアウト用のコーヒーを購入する場合、居酒屋の場合と同様に、ユーザはレジの店員に商品である料理そのものを注文時に持っていくことはできず、注文（購入）する商品を特定するために、コーヒーの注文時においてどのコーヒーを注文するか（あるいは、注文するコーヒーのサイズなど）などの購入商品情報を店員とやり取りした後、注文したコーヒーが出来上がるのを待ち、店員にレジで会計したもらい、非接触ＩＣチップに記憶されている電子マネー情報を用いて決済処理を行わなければならない。そのため、商品購入開始時から短時間で決済処理を終了することができない。
【００１６】
さらに、レンタルビデオ屋でビデオをレンタルする場合、ユーザはレジの店員に商品であるビデオ自体を注文（レンタル）時に持っていくことはできるが、注文（レンタル）するビデオのレンタル方法などを特定するために、ビデオの注文（レンタル）時においてどのタイプ（例えば、２泊３日などのタイプ）でレンタルするかなどの購入商品情報を店員とやり取りした後、店員にレジで会計したもらい、非接触ＩＣチップに記憶されている電子マネー情報を用いて決済処理を行わなければならない。そのため、同様に、商品購入開始時から短時間で決済処理を終了することができない。
【００１７】
このように、非接触ＩＣチップの利用方法である第１の利用方法においては、決済処理が終了するまでの間に、店員によるレジ打ちなどの会計処理という人為的プロセスを介する必要があるだけでなく、購入する商品によっては、店員との間における購入商品情報のやり取りなどの更なる人為的プロセスを介する必要がある。そのため、決済処理が終了するまでの間に多くの手間と時間がかかってしまい、商品購入開始時から短時間で決済処理を終了することができないという課題があった。また、購入する商品によっては、決済処理終了までの間に複数の人為的プロセスを介する必要があるため、人為的ミスによって決済処理が正確に行われない場合も考えられる。具体的には、居酒屋などでの決済処理においては、店員がビール大瓶２本のところをビール大瓶３本と入力してしまい、誤った決済処理が行われる場合が考えられる。
【００１８】
この課題は、特許文献１に提案されている技術によっても、解決することはできない。
【００１９】
本発明は、このような状況に鑑みてなされてものであり、非接触ＩＣチップを用いて迅速に、かつ、正確に決済処理を行うことができる情報処理装置を提供することを目的とする。
【課題を解決するための手段】
【００２０】
本発明の情報処理装置は、上述した課題を解決するために、画像を読み取る読み取り手段と、読み取り手段により読み取られた画像を、商品に関する情報である商品情報に変換する変換手段と、変換手段により変換された商品情報に基づいて、決済処理装置との間で行われる商品の代金の決済処理に用いる商品に関するリストを作成するリスト作成手段と、リスト作成手段により作成されたリストを記憶する記憶手段と、記憶手段により記憶されたリストを用いて、決済処理装置との間で行われる商品の代金の決済処理の実行を制御する制御手段とを備えることを特徴とする。
【００２１】
本発明の情報処理装置は、上述した課題を解決するために、画像を読み取る読み取り手段と、読み取り手段により読み取られた画像を、商品に関する情報である商品情報に変換する変換手段と、変換手段により変換された複数の商品情報に基づいて、決済処理装置との間で行われる商品の代金の決済処理に用いる複数の商品に関するリストを作成するリスト作成手段と、リスト作成手段により作成された複数の商品に関するリストを記憶する記憶手段と、ユーザの指示を受け付けると、記憶手段により記憶された複数の商品に関するリストを用いて、決済処理装置との間で行われる複数の商品の代金の決済処理の実行を制御する制御手段とを備えることを特徴とする。
【００２２】
本発明の情報処理装置においては、画像が読み取られ、読み取られた画像が商品に関する情報である商品情報に変換され、変換された商品情報に基づいて、決済処理装置との間でお行われる商品の代金の決済処理に用いる商品に関するリストが作成され、作成されたリストが記憶され、記憶されたリストを用いて、決済処理装置との間で行われる商品の代金の決済処理の実行が制御される。
【００２３】
本発明の情報処理装置においては、画像が読み取られ、読み取られた画像が商品に関する情報である商品情報に変換され、変換された複数の商品情報に基づいて、決済処理装置との間で行われる商品の代金の決済処理に用いる複数の商品に関するリストが作成され、作成された複数の商品に関するリストが記憶され、ユーザの指示を受け付けると、記憶された複数の商品に関するリストを用いて、決済処理装置との間で行われる複数の商品の代金の決済処理の実行が制御される。
【発明の効果】
【００２４】
本発明によれば、非接触ＩＣチップを用いて迅速に、かつ、正確に決済処理を行うことができる。
【発明を実施するための最良の形態】
【００２５】
以下、本発明の実施の形態について、図面を参照しながら説明する。
【００２６】
図１は、本発明を適用した決済処理システム１の概略的な構成を表している。
【００２７】
図１に示されるように、まず、ユーザは、例えば居酒屋などのお店に入店すると、着席したテーブル（図示せず）に置かれたメニュリスト２の中から、購入を所望する商品（例えば、商品１乃至商品４など）に対応する２次元バーコード（例えば、２次元バーコード３−１乃至３−４など）を情報処理装置として適用可能なカメラ付ディジタル携帯電話機４に読み取る。カメラ付ディジタル携帯電話機４において読み取られた２次元バーコードは購入する商品情報に変換され、変換された購入商品情報に基づいてユーザが購入を所望する注文リストが作成される。
【００２８】
次に、ユーザは、例えばテーブル（図示せず）に予め置かれた、決済処理装置５の本体６に接続されたＩＣリーダ／ライタ７に、カメラ付ディジタル携帯電話機４に内蔵された図示せぬ非接触ＩＣ（Integrated Circuit）チップ（図４の非接触ＩＣチップ）を近接させる。これにより、カメラ付ディジタル携帯電話機４内において決済処理装置５から輻射された電磁波によって電磁誘導が発生し、それにより生じた電流を用いて、作成された注文リストに基づいて決済処理装置５との間で無線通信により決済処理が行われる。
【００２９】
図２は、本発明に係る情報処理装置として適用可能なカメラ付ディジタル携帯電話機４の外観の構成を表している。なお、図２［Ａ］は、カメラ付ディジタル携帯電話機４を約１８０度に見開いたときの正面から見た外観の構成を表しており、図２［Ｂ］は、カメラ付ディジタル携帯電話機４を見開いたときの側面から見た外観の構成を表している。
【００３０】
図２［Ａ］および［Ｂ］に示されるように、カメラ付ディジタル携帯電話機４は、中央のヒンジ部１１を境に第１の筐体１２と第２の筐体１３とがヒンジ結合されており、ヒンジ部１１を介して矢印Ｘ方向に折り畳み可能に形成される。カメラ付ディジタル携帯電話機４の内部の所定の位置には、送受信用のアンテナ（後述する図４のアンテナ４４）が設けられており、内蔵されたアンテナを介して基地局（図示せず）との間で電波を送受信する。
【００３１】
第１の筐体１２には、その表面に「０」乃至「９」の数字キー、発呼キー、リダイヤルキー、終話・電源キー、クリアキー、および電子メールキーなどの操作キー１４が設けられており、操作キー２４を用いて各種指示を入力することができる。
【００３２】
第１の筐体１２には、操作キー１４として上部に十字キーと確定キーが設けられており、ユーザが十字キーを上下左右方向に操作することにより当てられたカーソルを上下左右方向に移動させることができる。具体的には、第２の筐体１３に設けられた液晶ディスプレイ１７に表示されている電話帳リストや電子メールのスクロール動作、簡易ホームページのページ捲り動作および画像の送り動作などの種々の動作を実行する。
【００３３】
また、確定キーを押下することにより、種々の機能を確定することができる。例えば第１の筐体１２は、ユーザによる十字キーの操作に応じて液晶ディスプレイ１７に表示された電話帳リストの複数の電話番号の中から所望の電話番号が選択され、確定キーが第１の筐体１２の内部方向に押圧されると、選択された電話番号を確定して電話番号に対して発呼処理を行う。
【００３４】
さらに、第１の筐体１２には、十字キーと確定キーの左隣に電子メールキーが設けられており、電子メールキーが第１の筐体１２の内部方向に押圧されると、メールの送受信機能を呼び出すことができる。十字キーと確定キーの右隣には、ブラウザキーが設けられており、ブラウザキーが第１の筐体１２の内部方向に押圧されると、Ｗｅｂページのデータを閲覧することが可能となる。なお、十字キーと確定キーの左右隣に設けられた電子メールキーおよびブラウザキーは、液晶ディスプレイ１７に表示される画面により例えば「Yes」や「No」などの種々の機能をもつことが可能であるため、それぞれ、soft１キーおよびsoft２キーと呼ばれる。
【００３５】
また、第１の筐体１２には、操作キー１４の下部にマイクロフォン１５が設けられており、マイクロフォン１５によって通話時のユーザの音声を集音する。また、第１の筐体１２には、カメラ付ディジタル携帯電話機４の操作を行うサイドキー１６が設けられている。
【００３６】
なお、第１の筐体１２は、背面側に図示しないバッテリパックが挿着されており、終話・電源キーがオン状態になると、バッテリパックから各回路部に対して電力が供給されて動作可能な状態に起動する。
【００３７】
ところで、第１の筐体１２には、第１の筐体１２の下部の所定の位置に抜差自在なメモリカード（後述する図４のメモリカード４６）を挿着するためのメモリカードスロット（図示せず）が設けられており、メモボタン（図示せず）が押下されるとメモリカードに通話中の相手の音声を記録したり、ユーザの操作に応じて電子メール、簡易ホームページ、ＣＣＤカメラで撮像した画像を記録することができる。
【００３８】
ここで、メモリカードは、ＮＡＮＤ型フラッシュメモリカードやＮＯＲ型フラッシュメモリカードなどに代表されるフラッシュメモリカードの一種であり、小型薄型形状のプラスチックケース内に電気的に書換えや消去が可能な不揮発性メモリであるフラッシュメモリ素子を格納したものであり、１０ピン端子を介して画像や音声、音楽等の各種データの書き込み及び読み出しが可能となっている。
【００３９】
また、メモリカードは、大容量化等による内蔵フラッシュメモリの仕様変更に対しても、使用する機器で互換性を確保することができる独自のシリアルプロトコルを採用し、高速性能を実現しているとともに、誤消去防止スイッチを設けて高い信頼性を確保している。
【００４０】
従って、カメラ付ディジタル携帯電話機４は、このようなメモリカードを挿着可能に構成されているために、メモリカードを介して他の電子機器との間でデータの共有化を図ることができる。
【００４１】
また、所定の機能を拡張するためのモジュール（チップ）をメモリカードに組み込み、メモリカードスロット（図示せず）にそれを装着させることにより、カメラ付ディジタル携帯電話機４の機能をさらに拡張させることができる。
【００４２】
例えば、非接触ＩＣ（Integrated Circuit）チップが組み込まれたメモリカードをカメラ付ディジタル携帯電話機４に装着することにより、非接触ＩＣチップがカメラ付ディジタル携帯電話機４に内蔵されていない場合であっても、非接触ＩＣチップが内蔵された場合と同様の電子決済機能などを有するように機能を拡張させることもできる。
【００４３】
一方、第２の筐体１３には、その正面に液晶ディスプレイ１７（メインディスプレイ）が設けられており、電波の受信状態、電池残量、電話帳として登録されている相手先名や電話番号及び送信履歴等の他、電子メールの内容、簡易ホームページ、ＣＣＤ（Charge Coupled Device）カメラ（後述する図３のＣＣＤカメラ２０）で撮像した画像、外部のコンテンツサーバ（図示せず）より受信したコンテンツ、メモリカード（後述する図４のメモリカード４６）に記憶されているコンテンツを表示することができる。また、液晶ディスプレイ１７の上部の所定の位置にはスピーカ１８が設けられており、これにより、ユーザは音声通話することが可能である。
【００４４】
また、第１の筐体１２と第２の筐体１３の内部の所定の位置には、カメラ付ディジタル携帯電話機４の状態を検知するための磁気センサ１９a、１９b、１９c、および１９dが設けられる。
【００４５】
図３は、本発明に係る情報処理装置として適用可能なカメラ付ディジタル携帯電話機４の他の外観の構成を表している。図３のカメラ付ディジタル携帯電話機４の状態は、図２のカメラ付ディジタル携帯電話機４の状態から矢印Ｘ方向に回動させた状態である。なお、図３［Ａ］は、カメラ付ディジタル携帯電話機４を閉じたときの正面から見た外観の構成を表しており、図３［Ｂ］は、カメラ付ディジタル携帯電話機４を閉じたときの側面から見た外観の構成を表している。
【００４６】
第２の筐体１３の上部には、ＣＣＤカメラ２０が設けられており、これにより、所望の撮影対象を撮像することができる。ＣＣＤカメラ２０の下部には、サブディスプレイ２１が設けられており、現在のアンテナの感度のレベルを示すアンテナピクト、カメラ付ディジタル携帯電話機４の現在の電池残量を示す電池ピクト、現在の時刻などが表示される。
【００４７】
サブディスプレイ２１の下部には、さらに、静電タッチパッド２２が設けられる。静電タッチパッド２２は、見かけ上一枚のタッチパッドになっているが、図示せぬセンサが複数個所に設けられており、ユーザがセンサの付近をタッチすると、センサがそれを検知し、巻戻し機能、早送り機能、音量ダウン動作、音量アップ動作、再生動作、および一時停止動作などが実行される。
【００４８】
図４は、本発明に係る情報処理装置として適用可能なカメラ付ディジタル携帯電話機４の内部の構成を表している。
【００４９】
図４に示されるように、カメラ付ディジタル携帯電話機４は、第１の筐体１２及び第２の筐体１３の各部を統括的に制御する主制御部３１に対して、電源回路部３２、操作入力制御部３３、画像エンコーダ３４、カメラインタフェース部３５、ＬＣＤ（Liquid Crystal Display）制御部３６、多重分離部３８、変復調回路部３９、音声コーデック４０、記憶部４７、および非接触ＩＣチップ４８がメインバス４１を介して互いに接続されるとともに、画像エンコーダ３４、画像デコーダ３７、多重分離部３８、変復調回路部３９、音声コーデック４０、および記録再生部４５が同期バス４２を介して互いに接続されて構成される。
【００５０】
電源回路部３２は、ユーザの操作により終話・電源キーがオン状態にされると、バッテリパックから各部に対して電力を供給することによりカメラ付ディジタル携帯電話機４を動作可能な状態に起動する。
【００５１】
主制御部３１は、ＣＰＵ（Central Processing Unit）、ＲＯＭ（Read Only Memory）、およびＲＡＭ（Random Access Memory）などでからなり、ＣＰＵは、ＲＯＭに記憶されているプログラムまたは記憶部４７からＲＡＭにロードされた各種のアプリケーションプログラムに従って各種の処理を実行するとともに、種々の制御信号を生成し、各部に供給することによりカメラ付ディジタル携帯電話機４を統括的に制御する。ＲＡＭは、ＣＰＵが各種の処理を実行する上において必要なデータなどを適宜記憶する。
【００５２】
なお、主制御部３１には、現在の日付と時刻を正確に計測するタイマが内蔵されている。
【００５３】
ここで、ＣＰＵが実行する種々のアプリケーションプログラムは、ＲＯＭや記憶部４７に予めインストールしておくことができる。また、ＣＰＵが実行する種々のアプリケーションプログラムは、図示せぬ基地局を介して通信によってカメラ付ディジタル携帯電話機４にダウンロードすることにより、記憶部４７にインストールすることができる。さらに、ＣＰＵが実行する種々のアプリケーションプログラムは、メモリカード４６に記録しておき、記録再生部４５によって読み出して、記憶部４７にインストールすることも可能である。
【００５４】
カメラ付ディジタル携帯電話機４は、主制御部３１の制御に基づいて、音声通話モード時にマイクロフォン１５で集音した音声信号を音声コーデック４０によってディジタル音声信号に変換、圧縮し、これを変復調回路部３９でスペクトラム拡散処理し、送受信回路部４３でディジタルアナログ変換処理及び周波数変換処理を施した後にアンテナ４４を介して送信する。
【００５５】
また、カメラ付ディジタル携帯電話機４は、音声通話モード時にアンテナ４４で受信した受信信号を増幅して周波数変換処理及びアナログディジタル変換処理を施し、変復調回路部３９でスペクトラム逆拡散処理し、音声コーデック４０によって伸張し、アナログ音声信号に変換した後、変換されたアナログ音声信号をスピーカ１８を介して出力する。
【００５６】
さらに、カメラ付ディジタル携帯電話機４は、データ通信モード時に電子メールを送信する場合、操作キー１４の操作によって入力された電子メールのテキストデータを操作入力制御部３３を介して主制御部３１に送出する。主制御部３１は、テキストデータを変復調回路部３９でスペクトラム拡散処理し、送受信回路部４３でディジタルアナログ変換処理及び周波数変換処理を施した後にアンテナ４４を介して基地局（図示せず）へ送信する。
【００５７】
これに対してカメラ付ディジタル携帯電話機４は、データ通信モード時に電子メールを受信する場合、アンテナ４４を介して基地局（図示せず）から受信した受信信号を変復調回路部３９でスペクトラム逆拡散処理して元のテキストデータを復元した後、ＬＣＤ制御部３６を介して液晶ディスプレイ１７に電子メールとして表示する。
【００５８】
その後カメラ付ディジタル携帯電話機４は、ユーザの操作に応じて受信した電子メールを記録再生部４５を介してメモリカード４６に記録することも可能である。
【００５９】
カメラ付ディジタル携帯電話機４は、画像信号を送信しない場合には、ＣＣＤカメラ２０で撮像した画像信号をカメラインタフェース部３５及びＬＣＤ制御部３６を介して液晶ディスプレイ１７に直接表示する。
【００６０】
カメラ付ディジタル携帯電話機４は、データ通信モード時に画像信号を送信する場合、ＣＣＤカメラ２０で撮像された画像信号をカメラインタフェース部３５を介して画像エンコーダ３４に供給する。
【００６１】
画像エンコーダ３４は、ＣＣＤカメラ２０から供給された画像信号を、例えばＭＰＥＧ（Moving Picture Experts Group）４などの所定の符号化方式によって圧縮符号化することにより符号化画像信号に変換し、変換された符号化画像信号を多重分離部３８に送出する。このとき同時にカメラ付ディジタル携帯電話機４は、ＣＣＤカメラ２０で撮像中にマイクロフォン１５で集音した音声を音声コーデック４０を介してディジタルの音声信号として多重分離部３９送出する。
【００６２】
多重分離部３９は、画像エンコーダ３４から供給された符号化画像信号と音声コーデック４０から供給された音声信号とを所定の方式で多重化し、その結果得られる多重化信号を変復調回路部３９でスペクトラム拡散処理し、送受信回路部４３でディジタルアナログ変換処理及び周波数変換処理を施した後にアンテナ４４を介して送信する。
【００６３】
これに対して、カメラ付ディジタル携帯電話機４では、データ通信モード時に、Ｗｅｂページのデータを受信することができる。
【００６４】
すなわち、カメラ付ディジタル携帯電話機４において、データ通信モードに、例えばＷｅｂページを要求するデータを送信すると、その要求に応じて、Ｗｅｂページのデータが基地局（図示せず）を介して送信される。このＷｅｂページのデータは、アンテナ４４を介して送受信回路部４３および変復調回路部３９で受信される。送受信回路部４３および変復調回路部３９は、受信したＷｅｂページのデータを主制御部３１に送出する。
【００６５】
主制御部３１は、Ｗｅｂページのデータを解釈し、その解釈に基づく画面（画像）を作成する。作成された画面は、主制御部３１からＬＣＤ制御部３６を介して液晶ディスプレイ１７に供給されて表示される。すなわち、主制御部３１のＲＯＭまたは記憶部４７には、少なくともＷｅｂブラウザのアプリケーションプログラムがインストールされており、主制御部３１のＣＰＵは、ＲＡＭ上でＷｅｂブラウザのアプリケーションプログラムを実行することで、Ｗｅｂブラウザとして機能し、Ｗｅｂページのデータの解釈などを行う。
【００６６】
また、カメラ付ディジタル携帯電話機４は、データ通信モード時に例えばＷｅｂページなどにリンクされた動画像ファイルのデータを受信する場合、アンテナ４４を介して基地局（図示せず）から受信した受信信号を変復調回路部３９でスペクトラム逆拡散処理し、その結果得られる多重化信号を多重分離部３８に送出する。
【００６７】
多重分離部３８は、多重化信号を分離することにより符号化画像信号と音声信号とに分け、同期バス４２を介して符号化画像信号を画像デコーダ３７に供給すると共に音声信号を音声コーデック４０に供給する。画像デコーダ３７は、符号化画像信号をＭＰＥＧ４などの所定の符号化方式に対応した復号化方式でデコードすることにより再生動画像信号を生成し、生成された再生動画像信号をＬＣＤ制御部３６を介して液晶ディスプレイ１７に供給する。これにより、例えば、Ｗｅｂページなどにリンクされた動画像ファイルに含まれる動画像データが表示される。
【００６８】
このとき同時に音声コーデック４０は、音声信号をアナログ音声信号に変換した後、これをスピーカ１８に供給し、これにより、例えば、Ｗｅｂページなどにリンクされた動画像ファイルに含まる音声信号が再生される。この場合も電子メールの場合と同様にカメラ付ディジタル携帯電話機４は、受信したＷｅｂページなどにリンクされたデータをユーザの操作により記録再生部４５を介してメモリカード４６に記録することが可能である。
【００６９】
記憶部４７は、例えば、電気的に書換えや消去が可能な不揮発性メモリであるフラッシュメモリ素子などからなり、主制御部３１のＣＰＵにより実行される種々のアプリケーションプログラムや種々のデータ群を格納している。また、記憶部４７は、必要に応じて、ユーザの操作に応じて受信した電子メールや、受信したＷｅｂページなどにリンクされた動画像ファイルに含まれる動画像データなどを記憶する。
【００７０】
非接触ＩＣチップ４８は、カメラ付ディジタル携帯電話機４が決済処理装置５のＩＣリーダ／ライタ７に近接され、そのＩＣリーダ／ライタ７から輻射される電磁波を受信したとき、それに応じて、各種の情報をＩＣリーダ／ライタ７に供給する。
【００７１】
図５は、図４の非接触ＩＣチップ４８の内部の詳細な構成を表している。
【００７２】
図５に示されるように、非接触ＩＣチップ４８は、例えば、図５に示すアンテナ（ループアンテナ）６０およびコンデンサ６１と、それ以外の構成が１チップに格納されたＩＣから構成され、電磁誘導を利用して図示せぬ外部装置Ｐに設けられたＩＣリーダ／ライタ７と各種のデータを半二重通信する。非接触ＩＣチップ４８と基本的に同様の機能を提供するものとして、例えばFelica（登録商標）チップなどが知られている。
【００７３】
ＣＰＵ５１は、ＲＯＭ５２に格納されている制御プログラムをＲＡＭ５３に展開し、非接触ＩＣチップ４８の全体の動作を制御する。例えばＣＰＵ５１は、決済処理装置５のＩＣリーダ／ライタ７から輻射された電磁波がアンテナ６０において受信されたとき、それに応じて、非接触ＩＣチップ４８に記憶されている識別番号（チップＩＤ）に関する情報をＩＣリーダ／ライタ７に通知し、所定の処理を行う。
【００７４】
また、ＣＰＵ５１は、非接触ＩＣチップ４８に記憶されている電子マネー情報を用いて、ＩＣリーダ／ライタ４と電子マネー情報処理を行う。
【００７５】
アンテナ６０とコンデンサ６１により構成されるＬＣ回路は、近傍に配置された決済処理装置５のＩＣリーダ／ライタ７から輻射された所定の周波数の電磁波と共振する。インタフェース部５９は、ＡＳＫ（Amplitude Shift Keying）復調部６６において、アンテナ６０を介して受信した変調波（ASK変調波）を包絡線検波して復調し、復調後のデータをＢＰＳＫ（Binary Phase Shift Keying）復調部６２に出力する。
【００７６】
また、インタフェース部５９は、アンテナ６０において励起された交流磁界をＡＳＫ復調部６６により整流し、それを電圧レギュレータ６４において安定化し、各部に直流電源として供給する。ＩＣリーダ／ライタ７から輻射される電磁波の電力は、非接触ＩＣチップ４８に必要な電力を賄う磁界を発生させるように調整される。
【００７７】
また、インタフェース部５９の発振回路６７はＰＬＬ（Phase Locked Loop）回路（図示せず）を内蔵し、受信信号のクロック周波数と同一の周波数のクロック信号を発生する。
【００７８】
さらに、インタフェース部５９は、例えば、残金情報や識別番号（チップＩＤ）に関する情報などを決済処理装置５のＩＣリーダ／ライタ４に送信する場合、ＢＰＳＫ変調部５８から供給されるデータに対応して、例えば所定のスイッチング素子（図示せず）をオン／オフさせ、スイッチング素子がオン状態であるときだけ、所定の負荷をアンテナ６０に並列に接続させることにより、アンテナ６０の負荷を変動させる。
【００７９】
ＡＳＫ変調部６５は、アンテナ６０の負荷の変動により、アンテナ６０において受信されているＩＣリーダ／ライタ７からの変調波をＡＳＫ変調し、その変調成分をアンテナ６０を介してＩＣリーダ／ライタ７に送信する（ＩＣリーダ／ライタ７のアンテナの端子電圧を変動させる）（ロードスイッチング方式）。
【００８０】
ＢＰＳＫ復調部６２は、ＡＳＫ復調部６６で復調されたデータがＢＰＳＫ変調されている場合、図示せぬＰＬＬ回路から供給されるクロック信号に基づいて、そのデータの復調（マンチェスターコードのデコード）を行い、復調したデータをデータ受信部６３に出力する。データ受信部６３は、供給されたデータをＣＰＵ５１に適宜出力する。ＣＰＵ５１は、入力されたデータをＲＡＭ５３またはＥＥＰＲＯＭ５４に記憶させる。
【００８１】
ＥＥＰＲＯＭ５４に記憶されたデータは、ＣＰＵ５１により適宜読み出され、データ送信部５７に供給される。ＢＰＳＫ変調部５８は、データ送信部５７から供給されたデータにＢＰＳＫ変調（マンチェスターコードへのコーディング）を行い、それをＡＳＫ変調部６５に出力する。
【００８２】
入出力インタフェース５５は、図４の主制御部３１との間のインタフェース処理を行う。
【００８３】
ＥＥＰＲＯＭ５４には、電子マネー情報を予め記憶する。ユーザは、この電子マネーを利用して、購入した商品やサービスなどの代金を決済することができる。決済の履歴もＥＥＰＲＯＭ５４に必要に応じて記憶される。
【００８４】
図６は、図１の決済処理装置５の内部の構成を表している。
【００８５】
図６に示されるように、決済処理装置５は、決済処理を実行する本体６と、本体６に例えばケーブル（図示せず）などにより接続されたＩＣリーダ／ライタ７により構成される。
【００８６】
本体６は、ＣＰＵ７１は、ＲＯＭ７２に記憶されているプログラム、または記憶部７８からＲＡＭ７３にロードされたプログラムに従って各種の処理を実行する。
【００８７】
ＲＡＭ７３にはまた、ＣＰＵ７１が各種の処理を実行する上において必要なデータなども適宜記憶される。
【００８８】
ＣＰＵ７１、ＲＯＭ７２、およびＲＡＭ７３には、バス７４を介して相互に接続される。このバス７４にはまた、入出力インタフェース７５が接続されている。
【００８９】
入出力インタフェース７５には、キーボード、マウスなどによりなる入力部７６、ＣＲＴ(Cathode Ray Tube)、ＬＣＤ(Liquid Crystal Display)などよりなるディスプレイ、並びにスピーカなどよりなる出力部７７、ハードディスクなどより構成される記憶部７８、モデム、ターミナルアダプタ、およびネットワークインタフェース（いずれも図示せず）などより構成される通信部７９が接続される。通信部７９は、インターネット（図示せず）を含むネットワークを介しての通信処理を行う。また、入出力インタフェース７５には、近接された非接触ＩＣチップと無線通信を行うＩＣリーダ／ライタ７が接続される。
【００９０】
入出力インタフェース７５にはまた、必要に応じてドライブ８０が接続され、磁気ディスク８１、光ディスク８２、光磁気ディスク８３、あるいは半導体メモリ８４などが適宜装着され、それから読み出されたプログラムが、必要に応じて記憶部７８にインストールされる。
【００９１】
図７は、図６のＩＣリーダ／ライタ７の内部の構成を表している。
【００９２】
アンテナ９１は、所定の電磁波を輻射し、それに対する負荷の変化に基づいて、カメラ付ディジタル携帯電話機４に内蔵された非接触ＩＣチップ４８が近接されたか否かを検出する。非接触ＩＣチップ４８が近接されたとき、アンテナ９１は、非接触ＩＣチップ４８と各種のデータを送受信する。
【００９３】
変調部９２は、発振回路９３から供給される所定の周波数（例えば、１３．５６MHz）の搬送波を、ＳＰＵ（Signal Processing Unit）１００より供給されるデータに基づいてＡＳＫ変調し、生成された変調波を電磁波としてアンテナ９１から出力する。一方、復調部９４は、アンテナ９１を介して取得した変調波（ＡＳＫ変調波）を復調し、復調されたデータをＳＰＵ１００に出力する。
【００９４】
ＩＣ９５は、ＣＰＵ（Central Processing Unit）９６、ＲＯＭ（Read Only Memory）９７、およびＲＡＭ（Random Access Memory）９８、ＳＣＣ（Serial Communication Controller）９９、ＳＰＵ（Signal Processing Unit）１００、並びに、これらのＣＰＵ９６乃至ＳＰＵ１００を相互に接続するバス１０１により構成される。
【００９５】
ＣＰＵ９６は、ＲＯＭ９７に格納されている制御プログラムをＲＡＭ９８に展開し、例えば、非接触ＩＣチップ４８から送信されてきた応答データや本体６のＣＰＵ７１から供給されてきた制御信号に基づいて、各種の処理を実行する。例えば、ＣＰＵ９６は、非接触ＩＣチップ４８に送信するコマンドを生成し、生成されたコマンドをバス１０１を介してＳＰＵ１００に出力したり、非接触ＩＣチップ４８から送信されたデータの認証処理などを行う。
【００９６】
ＳＣＣ９９は、本体６から供給されたデータを、バス１００を介してＣＰＵ９６に供給したり、ＣＰＵ９６からバス１０１を介して供給されたデータを本体６に出力する。
【００９７】
ＳＰＵ１０１は、非接触ＩＣチップ４８からの応答データが復調部９４から供給されたとき、そのデータに対して、例えばＢＰＳＫ復調（マンチェスターコードのデコード）などを施し、取得したデータをＣＰＵ９６に供給する。また、ＳＰＵ１００は、非接触ＩＣチップ４８に送信するコマンドがバス１０１を介して供給されたとき、供給されたコマンドにＢＰＳＫ変調（マンチェスターコードへのコーディング）を施し、取得したデータを変調部９２に出力する。
【００９８】
次に、図８のフローチャートを参照して、図４のカメラ付ディジタル携帯電話機４における注文リスト作成処理について説明する。なお、この注文リスト作成処理は、ユーザが例えば居酒屋などに入店し、着席したテーブル（図示せず）に置かれたメニュリスト２の中から、購入を所望する商品に対応する２次元バーコードを、情報処理装置として適用可能なカメラ付ディジタル携帯電話機４に読み取りを開始するとの指示をすることにより開始される。
【００９９】
ここで、図９を参照して、ユーザが着席したテーブル（図示せず）に置かれたメニュリスト２の詳細な構成例について説明する。
【０１００】
図９のメニュリスト２の第１列目乃至第４列目には、「商品番号」、「商品名」、「値段（円）」、および「２次元バーコード」が記載されており、それぞれ、居酒屋などのお店で注文することができる商品の番号、居酒屋などのお店で注文することができる商品の名前、居酒屋などのお店で注文することができる商品の値段、および、居酒屋などのお店で注文することができる商品に予め対応付けられた２次元バーコードを示している。
【０１０１】
図９のメニュリスト２の第１行目の場合、「商品番号」は「１」であり、居酒屋などのお店で注文することができる商品の番号が「１」であることを示している。「商品名」は「えだ豆」であり、居酒屋などのお店で注文することができる商品の名前が「えだ豆」であることを示している。「値段（円）」は「３５０（円）」であり、居酒屋などのお店で注文することができる商品（えだ豆）の値段が「３５０（円）」であることを示している。「２次元バーコード」は「２次元バーコード３−１」であり、居酒屋などのお店で注文することができる商品（えだ豆）に予め対応付けられた２次元バーコードが「２次元バーコード３−１」であることを示している。
【０１０２】
図９のメニュリスト２の第１２行目の場合、「商品番号」は「１２」であり、居酒屋などのお店で注文することができる商品の番号が「１２」であることを示している。「商品名」は「海鮮サラダ」であり、居酒屋などのお店で注文することができる商品の名前が「海鮮サラダ」であることを示している。「値段（円）」は「７２０（円）」であり、居酒屋などのお店で注文することができる商品（えだ豆）の値段が「７２０（円）」であることを示している。「２次元バーコード」は「２次元バーコード３−１２」であり、居酒屋などのお店で注文することができる商品（えだ豆）に予め対応付けられた２次元バーコードが「２次元バーコード３−１２」であることを示している。
【０１０３】
図９のメニュリスト２の第２５行目の場合、「商品番号」は「２５」であり、居酒屋などのお店で注文することができる商品の番号が「２５」であることを示している。「商品名」は「鳥のから揚げ」であり、居酒屋などのお店で注文することができる商品の名前が「鳥のから揚げ」であることを示している。「値段（円）」は「６７０（円）」であり、居酒屋などのお店で注文することができる商品（えだ豆）の値段が「６７０（円）」であることを示している。「２次元バーコード」は「２次元バーコード３−２５」であり、居酒屋などのお店で注文することができる商品（えだ豆）に予め対応付けられた２次元バーコードが「２次元バーコード３−２５」であることを示している。
【０１０４】
なお、図９のメニュリスト２の第２６行目以降については、第１行目、第１２行目などと同様であり、その説明は繰り返しになるので省略する。
【０１０５】
まず、ステップＳ１において、主制御部３１は、ユーザにより操作キー１４が操作されることにより操作入力制御部３３を介して２次元バーコードの読み取りを開始するとの指示がなされたか否かを判定し、２次元バーコードの読み取りを開始するとの指示がなされたと判定するまで待機する。
【０１０６】
ステップＳ１において２次元バーコードの読み取りを開始するとの指示がなされたと判定された場合、主制御部３１はステップＳ２で、ＬＣＤ制御部３６を制御し、２次元バーコードの読み取りを行うための２次元バーコード読み取り画面を液晶ディスプレイ１７に表示させる。液晶ディスプレイ１７は、ＬＣＤ制御部３６の制御に従い、図１０［Ａ］に示されるように、２次元バーコードの読み取りを行うための２次元バーコード読み取り画面１１１を表示する。
【０１０７】
このとき、ユーザは、メニュリスト２の２次元バーコード（例えば、２次元バーコード３−１乃至３−３１など）が液晶ディスプレイ１７の２次元バーコード読み取り画面の所望の位置になるように、カメラ付ディジタル携帯電話機４のＣＣＤカメラ２０の向きを調整する。これにより、例えば図１０［Ａ］に示されるように、メニュリスト２に記載されている２次元バーコード３−１が液晶ディスプレイ１７の２次元バーコード読み取り画面１１１の所望の位置に表示される。
【０１０８】
ステップＳ３において、主制御部３１は、ユーザにより操作キー１４が操作されることにより操作入力制御部３３を介して２次元バーコードの読み取りの実行が指示されたか否かを判定し、２次元バーコードの読み取りの実行が指示されたと判定するまで待機する。
【０１０９】
ステップＳ３において２次元バーコードの読み取りの実行が指示されたと判定された場合（すなわち、ユーザにより操作キー１４が操作されることにより操作入力制御部３３を介して例えば図９のメニュリスト２に記載された２次元バーコード３−１の読み取りの実行が指示されたと判定された場合）、主制御部３１はステップＳ４で、ＣＣＤカメラ２０を制御し、図９のメニュリスト２に記載された２次元バーコード（例えば、２次元バーコード３−１乃至３−３１など）の中から、２次元バーコードの読み取りの実行が指示された２次元バーコードを読み取る。ＣＣＤカメラ２０は、読み取られた２次元バーコードに関する画像データをカメラインタフェース部３５を介して主制御部３１に供給する。
【０１１０】
図１０［Ａ］の例の場合に２次元バーコードの読み取りの実行が例えば確定キーによって指示されると、図９のメニュリスト２に記載された２次元バーコード（例えば、２次元バーコード３−１乃至３−３１など）の中から、２次元バーコード３−１が読み取られる。
【０１１１】
ステップＳ５において、主制御部３１は、読み取られた２次元バーコードに関する画像データがＣＣＤカメラ２０からカメラインタフェース部３５を介して供給されたか否かにより読み取りに成功したか否かを判定する。
【０１１２】
ステップＳ５において読み取りに成功したと判定された場合、主制御部３１はステップＳ６で、ＣＣＤカメラ２０からカメラインタフェース部３５を介して供給された、読み取られた２次元バーコードに関する画像データを取得し、取得された２次元バーコードに関する画像データを解析し、２次元バーコードに表される購入商品情報に変換する。
【０１１３】
例えば図９の第１行目の場合、えだ豆という商品に予め対応付けられている２次元バーコード３−１により表される購入商品情報は「商品番号」が「１」、「商品名」が「えだ豆」、および「値段（円）」が「３５０（円）」からなり、読み取りに成功すると、「商品番号」が「１」、「商品名」が「えだ豆」、および「値段（円）」が「３５０（円）」からなる購入商品情報に変換される。
【０１１４】
ステップＳ７において、主制御部３１は、変換された購入商品情報をＬＣＤ制御部３６に供給するとともに、ＬＣＤ制御部３６を制御し、変換された購入商品情報を液晶ディスプレイ１７に表示させる。液晶ディスプレイ１７は、ＬＣＤ制御部３６の制御に従い、例えば図１０［Ｂ］に示されるように、変換された購入商品情報を表示する。
【０１１５】
図１０［Ｂ］は、液晶ディスプレイ１７に表示される購入商品情報の表示例を表している。
【０１１６】
図１０［Ｂ］の例の場合、変換された購入商品情報として、「商品番号  １  商品名  えだ豆  値段（円）  ３５０円」が表示される。これにより、ユーザは、読み取られた２次元バーコードにより表される購入商品情報を知ることができる。
【０１１７】
その後、ユーザは、操作キー１４を操作することにより、液晶ディスプレイ１７に表示されているコマンド表示欄１１２の「ＯＫ」のアイコンを選択すると、ステップＳ８における注文リスト作成処理が開始される。
【０１１８】
ステップＳ８において、主制御部３１は、変換された購入商品情報に基づいて、注文（購入）する商品のリストである注文リストを作成する。例えば図１１に示されるように、変換された購入商品情報に基づいて、「商品番号」、「商品名」、および「値段（円）」が記載された注文リスト１２０が作成される。図１１の第１行目には、「商品番号」として「１」、「商品名」として「えだ豆」、および「値段（円）」として「３５０（円）」が記載されている。また、図１１の第２行目には、「合計額」として「３５０（円）」が記載されている。
【０１１９】
その後、処理はステップＳ１０に進む。
【０１２０】
一方、ステップＳ５において読み取りに失敗したと判定された場合、主制御部３１はステップＳ９で、ＬＣＤ制御部３６を制御し、２次元バーコードの読み取りに失敗したことを示す読み取り失敗画面を液晶ディスプレイ１７に表示させる。液晶ディスプレイ１７は、ＬＣＤ制御部３６の制御に従い、例えば図１０［Ｃ］に示されるように読み取り失敗画面１１３を表示する。これにより、ユーザは、２次元バーコードの読み取りに失敗したことを知ることができる。
【０１２１】
その後、ユーザは、操作キー１４を操作することにより、液晶ディスプレイ１７に表示されている読み取り失敗画面１１３のコマンド表示欄１１４の「戻る」のアイコンを選択すると、ステップＳ６乃至Ｓ８の処理はスキップされ、処理はステップＳ１０に進む。すなわち、２次元バーコードの読み取りが失敗したことから、購入商品情報を取得することができず、注文リスト１２０は作成されない。
【０１２２】
ステップＳ１０において、主制御部３１は、ＬＣＤ制御部３６を制御し、他の２次元バーコードを読み取るか否かに関するメッセージダイアログを液晶ディスプレイ１７に表示させる。液晶ディスプレイ１７は、ＬＣＤ制御部３６の制御に従い、例えば図１０［Ｄ］に示されるようなメッセージダイアログ１１５を表示する。
【０１２３】
図１０［Ｄ］のメッセージダイアログ１１５は、メッセージ表示欄１１６、およびコマンドを表示するコマンド表示欄１１７とコマンド表示欄１１８を有する。
【０１２４】
図１０［Ｄ］の例の場合、メッセージ表示欄１１６には、メッセージとして「他の２次元バーコードを読み取りますか？」が表示される。これにより、これ以降の処理により、他の２次元バーコードを読み取らせることができることが分かる。
【０１２５】
コマンド表示欄１１７とコマンド表示欄１１８は、それぞれ、「Ｙｅｓ」と「Ｎｏ」というコマンドのアイコンを有している。ユーザは、操作キー１４を操作することにより、コマンド表示欄１１７の「Ｙｅｓ」のコマンドアイコンを選択し、他の２次元バーコードの読み取り処理の開始を指令することができる。また、ユーザは、操作キー１４を操作することにより、コマンド表示欄１１８の「Ｎｏ」のコマンドアイコンを選択し、他の２次元バーコードの読み取り処理をキャンセルすることができる。
【０１２６】
ステップＳ１１において、主制御部３１は、図１０［Ｄ］のメッセージダイアログ１１５に基づいて、ユーザが操作キー１４を操作してコマンド表示欄１１７の「Ｙｅｓ」のアイコンを選択することにより、他の２次元バーコードを読み取るとの指示がなされたか否かを判定する。
【０１２７】
ユーザが操作キー１４を操作することによりコマンド表示欄１１７の「Ｙｅｓ」のアイコンを選択した場合、ステップＳ１１で主制御部３１は、他の２次元バーコードを読み取りとの指示がなされたと判定する。
【０１２８】
一方、ユーザが操作キー１４を操作することによりコマンド表示欄１１８の「Ｎｏ」のアイコンを選択した場合、ステップＳ１１で主制御部３１は、他の２次元バーコードを読み取りとの指示がなされていないと判定する。
【０１２９】
ステップＳ１１において他の２次元バーコードを読み取りとの指示がなされたと判定された場合、処理はステップＳ２に戻り、ステップＳ２以降の処理が繰り返される。これにより、ステップＳ８の注文リスト作成処理において、新たに変換された購入商品情報に基づいて注文リスト１２０が更新される。
【０１３０】
例えば、ユーザが商品名「えだ豆」以外に、さらに商品名「海鮮サラダ」、商品名「鳥のから揚げ」、商品名「肉じゃが」、および商品名「焼きうどん」に対応付けられた２次元バーコードの読み取りの実行を指示した場合、図１２に示されるように、注文リスト１２０が更新される。
【０１３１】
図１２の第１行目には、「商品番号」として「１」、「商品名」として「えだ豆」、および「値段（円）」として「３５０（円）」が記載されている。図１２の第２行目には、「商品番号」として「１２」、「商品名」として「海鮮サラダ」、および「値段（円）」として「７２０（円）」が記載されている。なお、図１２の第３行目乃至第５行目についても同様に記載されており、説明は繰り返しになるので省略する。また、図１２の第６行目には、「合計額」として「３０７０（円）」が記載されている。
【０１３２】
一方、ステップＳ１１において他の２次元バーコードを読み取りとの指示がなされていないと判定された場合、主制御部３１はステップＳ１２で、作成された注文リスト１２０に関するデータをＬＣＤ制御部３６に供給するとともに、ＬＣＤ制御部３６を制御し、作成された注文リスト１２０を液晶ディスプレイ１７に表示させる。液晶ディスプレイ１７は、ＬＣＤ制御部３６の制御に従い、作成された注文リスト１２０に関するデータに基づき、図１０［Ｅ］に示されるような注文リスト画面１１９を表示する。これにより、ユーザは、ステップＳ１乃至Ｓ１１の処理により作成された注文リスト１２０の内容を確認することができる。
【０１３３】
ステップＳ１３において、主制御部３１は、作成された注文リスト１２０に関するデータを非接触ＩＣチップ４８に書き込む。すなわち、主制御部３１は、作成された注文リスト１２０に関するデータをメインバス４１を介して非接触ＩＣチップ４８に供給する。非接触ＩＣチップ４８のＣＰＵ５１は、主制御部３１の制御に従い、入出力インタフェース５５を介して主制御部３１から供給された、作成された注文リスト１２０に関するデータを取得し、取得された注文リスト１２０に関するデータをＥＥＰＲＯＭ５４に記憶させる。
【０１３４】
これにより、カメラ付ディジタル携帯電話機４の本体側において作成された注文リスト１２０に関するデータを非接触ＩＣチップ４８に記憶させることができる。従って、決済処理装置５との間での決済処理において、作成された注文リスト１２０に関するデータを用いて決済処理を実行することが可能となる。
【０１３５】
ステップＳ１４において、主制御部３１は、ユーザにより操作キー１４が操作されることにより操作入力制御部３３を介して２次元バーコードの読み取りを終了するとの指示がなされたか否かを判定し、２次元バーコードの読み取りを終了するとの指示がなされたと判定するまで待機する。
【０１３６】
ステップＳ１４において２次元バーコードの読み取りを終了するとの指示がなされたと判定された場合、注文リスト作成処理は終了する。
【０１３７】
次に、ユーザは、例えば着席したテーブルに予め置かれた、決済処理装置５の本体６に接続されたＩＣリーダ／ライタ７に、カメラ付ディジタル携帯電話機４に内蔵された非接触ＩＣチップ４８を近接させる。これにより、カメラ付ディジタル携帯電話機４内において決済処理装置５から輻射された電磁波によって電磁誘導が発生し、それにより生じた電流を用いて、作成された注文リスト１２０に基づいて決済処理装置５との間で無線通信により決済処理が実行される。
【０１３８】
図１３のフローチャートを参照して、図４のカメラ付ディジタル携帯電話機４における決済処理について説明する。
【０１３９】
ステップＳ２１において、主制御部３１は、ＩＣリーダ／ライタ７に近接された非接触ＩＣチップ４８を介して無線通信により、ＩＣリーダ／ライタ７から非接触ＩＣチップ４８に記憶されている残金情報、注文リスト情報（注文リスト１２０に関するデータ）、および非接触ＩＣチップ４８に割り当てられた識別番号（チップＩＤ）に関する情報である識別番号情報の要求を取得したか否かを判定し、これらの情報の要求を取得したと判定するまで待機する。
【０１４０】
ステップＳ２１において残金情報、注文リスト情報、および識別番号情報の要求を取得したと判定された場合、主制御部３１は、非接触ＩＣチップ４８のＣＰＵ５１を制御して、ＥＥＰＲＯＭ５４に記憶されている残金情報、注文リスト情報、および識別番号情報をＩＣリーダ／ライタ７に供給する。すなわち、非接触ＩＣチップ４８のＣＰＵ５１は、主制御部３１の制御に従い、ＥＥＰＲＯＭ５４に記憶されている残金情報、注文リスト情報、および識別番号情報を読み出し、読み出された残金情報、注文リスト情報、および識別番号情報をＩＣリーダ／ライタ７に供給（送信）するための処理を実行し、残金情報、注文リスト情報、および識別番号情報をアンテナ６０を介してＩＣリーダ／ライタ７に供給（送信）する。
【０１４１】
ステップＳ２３において、主制御部３１は、非接触ＩＣチップ４８を介して無線通信により、ＩＣリーダ／ライタ７から課金処理後の更新された残金情報および課金処理が終了した旨の通知である課金処理終了通知を取得する。
【０１４２】
ステップＳ２４において、主制御部３１は、取得された課金終了通知に基づいて、課金処理が終了したことを認識し、非接触ＩＣチップ４８のＣＰＵ５１を制御して、取得された課金処理後の更新された残金情報をＥＥＰＲＯＭ５４に記憶させる。ＥＥＰＲＯＭ５４は、ＣＰＵ５１の制御に従い、取得された課金処理後の更新された残金情報を記憶する。
【０１４３】
例えば図１２の例の場合、合計額が３０７０円であり、残金情報に含まれる電子マネーの現在の残金が１５０００円であると、決済処理装置５において残金情報は１１９３０円に更新され、課金処理後の更新された残金情報（電子マネーの残金１１９３０円）が記憶される。
【０１４４】
ステップＳ２５において、主制御部３１は、非接触ＩＣチップ４８のＣＰＵ５１を制御して、ＥＥＰＲＯＭ５４に課金処理後の更新された残金情報を記憶させた旨の書き込み終了通知をＩＣリーダ／ライタ７に供給する。すなわち、非接触ＩＣチップ４８のＣＰＵ５１は、主制御部３１の制御に従い、ＥＥＰＲＯＭ５４に課金処理後の更新された残金情報を記憶させた旨の書き込み終了通知をＩＣリーダ／ライタ７に供給（送信）するための処理を実行し、ＥＥＰＲＯＭ５４に課金処理後の更新された残金情報を記憶させた旨の書き込み終了通知をアンテナ６０を介してＩＣリーダ／ライタ７に供給（送信）する。
【０１４５】
ステップＳ２６において、主制御部３１は、非接触ＩＣチップ４８を介して無線通信により、ＩＣリーダ／ライタ７から決済処理が終了した旨の通知である決済処理終了通知を取得したか否かを判定し、ＩＣリーダ／ライタ７から決済処理終了通知を取得したと判定するまで待機する。
【０１４６】
ステップＳ２６においてＩＣリーダ／ライタ７から決済処理が終了した旨の通知である決済処理終了通知を取得したと判定された場合、カメラ付ディジタル携帯電話機４における決済処理は終了する。
【０１４７】
図１４のフローチャートを参照して、図１３のカメラ付ディジタル携帯電話機４における決済処理に対応する、図６の決済処理装置５における決済処理について説明する。
【０１４８】
ステップＳ３１において、決済処理装置５の本体６のＣＰＵ７１は、ＩＣリーダ／ライタ７のＣＰＵ９６を制御して、通信可能範囲に非接触ＩＣチップ４８が存在するか否かを判定し、通信可能範囲に非接触ＩＣチップ４８が存在すると判定するまで待機する。
【０１４９】
ステップＳ３１において通信可能範囲に非接触ＩＣチップ４８が存在すると判定された場合、ＣＰＵ７１はステップＳ３２で、ＩＣリーダ／ライタ７のＣＰＵ９６を制御して、近接されたカメラ付ディジタル携帯電話機４の非接触ＩＣチップ４８に対して残金情報、注文リスト情報、および識別番号（チップＩＤ）に関する情報である識別番号情報を要求する。
【０１５０】
ステップＳ３３において、ＣＰＵ７１は、ＩＣリーダ／ライタ７のＣＰＵ９６を制御して、カメラ付ディジタル携帯電話機４の非接触ＩＣチップ４８から供給された残金情報、注文リスト情報、および識別番号（チップＩＤ）に関する情報を取得したか否かを判定し、カメラ付ディジタル携帯電話機４の非接触ＩＣチップ４８から供給された残金情報、注文リスト情報、および識別番号情報を取得したと判定するまで待機する。
【０１５１】
ステップＳ３３においてカメラ付ディジタル携帯電話機４の非接触ＩＣチップ４８から供給された残金情報、注文リスト情報、および識別番号情報を取得したと判定された場合、ＣＰＵ７１はステップＳ３４で、取得された識別番号情報に基づいて正当な購入者であるか否かを認証する。
【０１５２】
ステップＳ３５において、ＣＰＵ７１は、取得された識別番号情報に基づいて正当な購入者であると認証されたか否かを判定する。
【０１５３】
ステップＳ３５において取得された識別番号情報に基づいて正当な購入者であると認証されたと判定された場合、ＣＰＵ７１はステップＳ３６で、取得された残金情報と注文リスト情報に基づいて課金処理を実行する。すなわち、注文リスト情報に含まれる合計額を残金情報に含まれる電子マネーの残金から減額し、残金情報を更新する。例えば図１２の例の場合、合計額が３０７０円であり、残金情報に含まれる電子マネーの現在の残金が１５０００円であると、残金情報は１１９３０円に更新される。
【０１５４】
ステップＳ３７において、ＣＰＵ７１は、ＩＣリーダ／ライタ７のＣＰＵ９６を制御して、近接されたカメラ付ディジタル携帯電話機４の非接触ＩＣチップ４８に対して課金処理後の更新された残金情報および課金処理が終了した旨の通知である課金処理終了通知をアンテナ９１を介して供給する。
【０１５５】
ステップＳ３８において、ＣＰＵ７１は、ＩＣリーダ／ライタ７のＣＰＵ９６を制御して、カメラ付ディジタル携帯電話機４の非接触ＩＣチップ４８から供給された書き込み終了通知を取得したか否かを判定し、カメラ付ディジタル携帯電話機４の非接触ＩＣチップ４８から供給された書き込み終了通知を取得したと判定するまで待機する。
【０１５６】
ステップＳ３８においてカメラ付ディジタル携帯電話機４の非接触ＩＣチップ４８から供給された書き込み終了通知を取得したと判定された場合、ＣＰＵ７１はステップＳ３９で、ＩＣリーダ／ライタ７のＣＰＵ９６を制御して、近接されたカメラ付ディジタル携帯電話機４の非接触ＩＣチップ４８に対して決済処理が終了した旨の通知である決済処理終了通知をアンテナ９１を介して供給する。その後、決済処理装置５における決済処理は終了する。
【０１５７】
一方、ステップＳ３５において取得された識別番号情報に基づいて正当な購入者であると認証されていないと判定された場合、ＣＰＵ７１はステップＳ４０で、エラー処理を実行するととともに、ＩＣリーダ／ライタ７のＣＰＵ９６を制御して、近接されたカメラ付ディジタル携帯電話機４の非接触ＩＣチップ４８に対してエラー通知をアンテナ９１を介して供給する。その後、処理はステップＳ３９に進み、決済処理終了通知がカメラ付ディジタル携帯電話機４の非接触ＩＣチップ４８に供給される。
【０１５８】
本発明の実施形態においては、２次元バーコードを読み取ることによりカメラ付ディジタル携帯電話機４において注文リスト１２０を作成し、作成された注文リスト１２０に関するデータを非接触ＩＣチップ４８に書き込み、書き込まれた注文リスト１２０に関するデータを用いて決済処理装置５との間で決済処理を実行するようにしたので、決済処理が終了するまでの間に、店員によるレジ打ちなどの会計処理という人為的プロセスを介する必要がなくなるだけでなく、店員との間における購入商品情報のやり取りなどの人為的プロセスを介する必要もなくなる。そのため、決済処理が終了するまでの間に手間と時間をかけることなく、商品購入開始時から短時間で決済処理を終了することができる。また、決済処理終了までの間に人為的プロセスを介する必要がなくなったため、人為的ミスによる決済処理の間違いを防止することができる。
【０１５９】
これにより、非接触ＩＣチップ４８を用いて迅速に、かつ、正確に決済処理を行うことができる。従って、非接触ＩＣチップ４８を用いて決済処理装置５と無線通信により決済処理を行う場合における利便性を向上させることができる。
【０１６０】
また、決済処理装置５とカメラ付ディジタル携帯電話機４との間における決済処理においては、店員のレジ打ちなどの人為的プロセスが必要なくなるため、居酒屋などのお店における人件費を安価に抑えることが可能となる。
【０１６１】
なお、本発明の実施形態においては、ユーザが購入を所望する購入商品情報を２次元バーコードから取得するようにしたが、このような場合に限られず、通常のバーコードでもよいし、何らかの形でカメラ付ディジタル携帯電話機４に購入商品情報として取得され、注文リストを作成することができさえすればよい。
【０１６２】
また、本発明の実施形態においては、居酒屋などにおける飲食店での決済処理について明示的に記載したが、このような場合に限られず、本発明はあらゆる業種のお店に適用することができる。例えばレンタルビデオ屋でビデオをレンタルする場合、ユーザは、レンタルを所望するビデオ（ＤＶＤなども含む）やＣＤのジャケットに付帯する２次元バーコードをカメラ付ディジタル携帯電話機４により読み取り、レンタルリスト（商品に関するリスト）を作成した後、カウンターのＩＣリーダ／ライタ７と無線通信することにより決済処理を実行させることができる。
【０１６３】
これにより、決済処理が終了するまでの間に、店員によるレジ打ちなどの会計処理という人為的プロセスを介する必要がなくなるだけでなく、店員との間における購入商品情報のやり取りなどの人為的プロセスを介する必要もなくなる。そのため、決済処理が終了するまでの間に手間と時間をかけることなく、商品購入開始時から短時間で決済処理を終了することができる。また、決済処理終了までの間に人為的プロセスを介する必要がなくなったため、人為的ミスによる決済処理の間違いを防止することができる。
【０１６４】
従って、非接触ＩＣチップ４８を用いて迅速に、かつ、正確に決済処理を行うことができる。その結果、非接触ＩＣチップ４８を用いて決済処理装置５と無線通信により決済処理を行う場合における利便性を向上させることができる。
【０１６５】
なお、本発明は、携帯電話機以外にも、ＰＤＡ（Personal Digital Assistant）、パーソナルコンピュータ、その他の情報処理装置にも適用することができる。
【０１６６】
また、本発明の実施形態において説明した一連の処理は、ソフトウェアにより実行させることもできるが、ハードウェアにより実行させることもできる。
【０１６７】
さらに、本発明の実施形態では、フローチャートのステップは、記載された順序に沿って時系列的に行われる処理の例を示したが、必ずしも時系列的に処理されなくとも、並列的あるいは個別実行される処理をも含むものである。
【図面の簡単な説明】
【０１６８】
【図１】本発明を適用した決済処理システムの概略的な構成を示す図。
【図２】本発明に係る情報処理装置として適用可能なカメラ付ディジタル携帯電話機の外観の構成を示す外観図。
【図３】本発明に係る情報処理装置として適用可能なカメラ付ディジタル携帯電話機の他の外観の構成を示す外観図。
【図４】本発明に係る情報処理装置として適用可能なカメラ付ディジタル携帯電話機の内部の構成を示すブロック図。
【図５】図４の非接触ＩＣチップの内部の構成を示すブロック図。
【図６】図１の決済処理装置の内部の詳細な構成を示す図。
【図７】図６のＩＣリーダ／ライタの内部の構成を示す図。
【図８】図４のカメラ付ディジタル携帯電話機における注文リスト作成処理を説明するフローチャート。
【図９】図８の注文リスト作成処理において用いられるお店に予め置かされたメニュリストの構成例を示す図。
【図１０】図８の注文リスト作成処理において液晶ディスプレイに表示される表示画面の遷移図。
【図１１】図８のステップＳ８において作成される注文リストの構成を示す図。
【図１２】図８のステップＳ８において作成される注文リストの構成を示す図。
【図１３】図４のカメラ付ディジタル携帯電話機における決済処理を説明するフローチャート。
【図１４】図６の決済処理装置における決済処理を説明するフローチャート。
【符号の説明】
【０１６９】
１…決済処理システム、４…カメラ付ディジタル携帯電話機、５…決済処理装置、６…本体、７…ＩＣリーダ／ライタ、１１…ヒンジ部、１２…第１の筐体、１３…第２の筐体、１４…操作キー、１５…マイクロフォン、１６…サイドキー、１７…液晶ディスプレイ、１８…スピーカ、１９a乃至１９d…磁気センサ、２０…ＣＣＤカメラ、２１…サブディスプレイ、２２…静電タッチパッド、３１…主制御部、３２…電源回路、３３…操作入力制御部、３４…画像エンコーダ、３５…カメラI/F部、３６…ＬＣＤ制御部、３７…画像デコーダ、３８…多重分離部、３９…変復調回路部、４０…音声コーデック、４１…メインバス、４２…同期バス、４３…送受信回路部、４４…アンテナ、４５…記録再生部、４６…メモリカード、４７…記憶部、４８…非接触ＩＣチップ、５１…ＣＰＵ，５２…ＲＯＭ，５３…ＲＡＭ、５４…ＥＥＰＲＯＭ、５５…入出力インタフェース、５６…バス、５７…データ送信部、５８…ＢＰＳＫ変調部、５９…インタフェース部、６０…アンテナ、６１…コンデンサ、６２…ＢＰＳＫ復調部、６３…データ受信部、６４…電圧レギュレータ、６５…ＡＳＫ変調部、６６…ＡＳＫ復調部、６７…発振回路、７１…ＣＰＵ，７２…ＲＯＭ，７３…ＲＡＭ、７４…バス、７５…入出力インタフェース、７６…入力部、７７…出力部、７８…記憶部、７９…通信部、８０…ドライブ、８１…磁気ディスク、８２…光ディスク、８３…光磁気ディスク、８４…半導体メモリ、９１…アンテナ、９２…変調部、９３…発振回路、９４…復調部、９５…ＩＣ、９６…ＣＰＵ、９７…ＲＯＭ、９８…ＲＡＭ、９９…ＳＣＣ、１００…ＳＰＵ、１０１…バス。
【図１】
2008009642.tif 000003
【図２】
2008009642.tif 000004
【図３】
2008009642.tif 000005
【図４】
2008009642.tif 000006
【図５】
2008009642.tif 000007
【図６】
2008009642.tif 000008
【図７】
2008009642.tif 000009
【図８】
2008009642.tif 000010
【図９】
2008009642.tif 000011
【図１０】
2008009642.tif 000012
【図１１】
2008009642.tif 000013
【図１２】
2008009642.tif 000014
【図１３】
2008009642.tif 000015
【図１４】
2008009642.tif 000016